(57)【特許請求の範囲】
【請求項１】
電圧を出力する電圧出力部と、当該電圧出力部から出力された前記電圧が測定対象に供給されている状態で物理量を測定する測定部と、前記物理量を測定する際に低圧の前記電圧を用いる第１測定レンジおよび当該物理量を測定する際に高圧の前記電圧を用いる第２測定レンジを切り替えて選択する切り替え操作が可能な第１スイッチと、前記第２測定レンジを選択する際に用いる第２スイッチと、前記切り替え操作によって前記第１測定レンジが選択されたときに前記低圧の電圧を出力可能な第１状態に前記電圧出力部を移行させると共に当該切り替え操作によって前記第２測定レンジが選択されかつ前記第２スイッチが操作されたときに前記高圧の電圧を出力可能な第２状態に当該電圧出力部を移行させる処理部とを備えた測定装置であって、
表示部と、当該表示部を制御する制御部とを備え、
前記制御部は、前記切り替え操作によって前記第２測定レンジが選択されたときに、前記第２スイッチを操作すべき旨を前記表示部に表示させる表示処理を実行する測定装置。
【請求項２】
前記第２スイッチは光源を備えて構成され、
前記制御部は、前記表示処理を実行する際に前記光源を発光させる請求項１記載の測定装置。
【請求項３】
前記処理部は、前記電圧出力部を前記第２状態に移行させている状態において当該測定装置に対する予め決められた操作がされない状態が予め決められた時間継続したときには、当該第２状態を解除させる請求項１または２記載の測定装置。
【発明の詳細な説明】
【技術分野】
【０００１】
本発明は、電圧出力部から出力された電圧を供給して物理量を測定する測定装置に関するものである。
【背景技術】
【０００２】
この種の測定装置として、特許２９２９７６０号公報に開示されたデジタル絶縁抵抗計が知られている。このデジタル絶縁抵抗計は、直流電源およびマイクロプロセッサなどを備えて、抵抗測定値を表示部に表示可能に構成されている。また、この絶縁抵抗計は、ファンクション切り替えスイッチおよび測定スイッチを備えており、このファンクション切り替えスイッチに対する切り替え操作よって選択されたファンクション（測定レンジ）に対応する大きさの電圧（直流電圧）が、測定スイッチに対する操作に応じて測定対象に供給され、この電圧の供給によって流れる電流の値と電圧の値に基づいて絶縁抵抗の測定を行うように構成されている。
【０００３】
ここで、この種の測定装置では、絶縁抵抗を測定する際には、５００Ｖ〜１０００Ｖ程度の高圧の電圧が測定対象に供給される。この場合、例えば、導通検査を行うために低抵抗測定用の測定レンジの選択を意図して切り替え操作を行ったにも拘わらず、その意図に反して絶縁抵抗用（高抵抗用）の測定レンジを選択してしまったときには、測定対象に高圧の電圧が供給されて、その測定対象が故障するおそれがある。このような事態を防止するため、発明者は、絶縁抵抗用の測定レンジを選択するためには確認の操作を必要とするように構成した測定装置（絶縁抵抗計）を既に開発している。この測定装置では、確認用のスイッチ（キー）を操作しつつファンクション切り替えスイッチを操作して絶縁抵抗用の測定レンジを選択しない限り、高圧の電圧を供給可能な状態に移行しないように構成されている。また、この測定装置では、高圧の電圧を供給可能な状態に移行させる際に確認用のスイッチを操作しつつファンクション切り替えスイッチを操作する必要があることが装置の表面に記載されており、これによって使用者に対してそのような操作を行うべきことを促している。
【先行技術文献】
【特許文献】
【０００４】
【特許文献１】特許２９２９７６０号公報（第２頁、第２図）
【発明の概要】
【発明が解決しようとする課題】
【０００５】
ところが、発明者が既に開発している上記の測定装置には、改善すべき以下の課題がある。すなわち、上記の測定装置では、絶縁抵抗を測定する際に用いる高圧の電圧を供給可能な状態に移行させるためには、確認用のスイッチを操作しつつファンクション切り替えスイッチを操作するという特別の操作をする必要がある。しかしながら、このような特別の操作が必要なことを使用者が認識する（気付く）のは、上記のような記載があったとしても比較的困難である。このため、この測定装置には、絶縁抵抗を測定する際に特別な操作が必要であることを使用者が認識できないことに起因して、絶縁抵抗の測定をスムーズに行えないおそれがあり、この点の改善が望まれている。
【０００６】
本発明は、かかる課題に鑑みてなされたものであり、抵抗を測定するために必要な操作を使用者に認識させ得る測定装置を提供することを主目的とする。
【課題を解決するための手段】
【０００７】
上記目的を達成すべく請求項１記載の測定装置は、電圧を出力する電圧出力部と、当該電圧出力部から出力された前記電圧が測定対象に供給されている状態で物理量を測定する測定部と、前記物理量を測定する際に低圧の前記電圧を用いる第１測定レンジおよび当該物理量を測定する際に高圧の前記電圧を用いる第２測定レンジを切り替えて選択する切り替え操作が可能な第１スイッチと、前記第２測定レンジを選択する際に用いる第２スイッチと、前記切り替え操作によって前記第１測定レンジが選択されたときに前記低圧の電圧を出力可能な第１状態に前記電圧出力部を移行させると共に当該切り替え操作によって前記第２測定レンジが選択されかつ前記第２スイッチが操作されたときに前記高圧の電圧を出力可能な第２状態に当該電圧出力部を移行させる処理部とを備えた測定装置であって、表示部と、当該表示部を制御する制御部とを備え、前記制御部は、前記切り替え操作によって前記第２測定レンジが選択されたときに、前記第２スイッチを操作すべき旨を前記表示部に表示させる表示処理を実行する。
【０００８】
また、請求項２記載の測定装置は、請求項１記載の測定装置において、前記第２スイッチは光源を備えて構成され、前記制御部は、前記表示処理を実行する際に前記光源を発光させる。
【０００９】
また、請求項３記載の測定装置は、請求項１または２記載の測定装置において、前記処理部は、前記電圧出力部を前記第２状態に移行させている状態において当該測定装置に対する予め決められた操作がされない状態が予め決められた時間継続したときには、当該第２状態を解除させる。
【発明の効果】
【００１０】
請求項１記載の測定装置では、切り替え操作によって第２測定レンジが選択されたときに、第２スイッチを操作すべき旨を表示部に表示させる表示処理を制御部が実行する。このため、この測定装置によれば、第２スイッチを操作しなければ第２状態には移行しないこと（第２測定レンジで物理量を測定するために必要な操作）を認識していない使用者に対して、そのこと（必要な操作）を確実に認識させることができる結果、測定作業をスムーズに行わせることができる。
【００１１】
また、請求項２記載の測定装置では、制御部が表示処理を実行する際に第２スイッチに配設されている光源を発光させる。このため、この測定装置によれば、第２スイッチがどれであるか（どのスイッチを操作すべきか）を使用者に対して確実に認識させることができる結果、測定作業をよりスムーズに行わせることができる。
【００１２】
また、請求項３記載の測定装置では、電圧出力部を第２状態に移行させている状態において測定装置に対する予め決められた操作がされない状態が予め決められた時間継続したときには、処理部が第２状態を解除させる。このため、この測定装置によれば、例えば、第２測定レンジを選択して第２スイッチを操作した後にしばらく時間が経過したときに、電圧出力部が第２状態に移行していることを使用者が忘れて、第１測定レンジを選択したとの誤認識をしたとしても、そのような誤認識に起因して、高圧の測定用電圧が測定対象に供給される事態を確実に防止することができる。
【図面の簡単な説明】
【００１３】
【図１】抵抗測定装置１の構成を示す構成図である。
【図２】抵抗測定装置１の斜視図である。
【図３】測定値Ｒｍを表示部１５に表示させた状態の表示画面図である。
【図４】報知画像Ｇｉを表示部１５に表示させた状態の表示画面図である。
【発明を実施するための形態】
【００１４】
以下、本発明に係る測定装置の実施の形態について、添付図面を参照して説明する。
【００１５】
最初に、抵抗測定装置１の構成について、図面を参照して説明する。図１に示す抵抗測定装置１は、測定装置の一例であって、測定対象の抵抗（物理量の一例）を測定可能に構成されている。具体的には、抵抗測定装置１は、同図に示すように、本体部２と、本体部２に接続可能に構成されたプローブ３ａ，３ｂ（以下、区別しないときには「プローブ３」ともいう）とを備えて構成されている。
【００１６】
本体部２は、図１に示すように、電圧出力部１１、測定部１２、操作部１３、記憶部１４、表示部１５および制御部１６を備えて構成されている。電圧出力部１１は、制御部１６の制御に従い、測定用の電圧（例えば、直流電圧であって、以下「測定用電圧Ｖｍ」ともいう）を出力する出力処理を実行する。この場合、この抵抗測定装置１では、抵抗を測定する際の測定レンジとして、複数（一例として、６種類）の測定レンジが規定されており、測定レンジ毎に測定用電圧Ｖｍの電圧値が規定されている。一例として、この抵抗測定装置１では、各電圧値が、１０Ｖ、５０Ｖ、１２５Ｖ、５００Ｖおよび１０００Ｖの６種類に規定されている。このため、電圧出力部１１は、操作部１３における後述するファンクションスイッチ３１に対する切り替え操作によって選択された測定レンジに対応する電圧値の測定用電圧Ｖｍを出力する。
【００１７】
測定部１２は、制御部１６の制御に従い、測定対象の抵抗（物理量）を測定する測定処理を実行する。具体的には、測定部１２は、電流検出回路２１、Ａ／Ｄ変換回路２２および測定回路２３を備えて構成されている。電流検出回路２１は、切り替え可能な複数のレンジ抵抗を備えて構成され、操作部１３における後述するファンクションスイッチ３１に対する切り替え操作に従ってこのレンジ抵抗を切り替え、これによって測定レンジを切り替え可能に構成されている。また、電流検出回路２１は、電圧出力部１１から出力された測定用電圧Ｖｍが測定対象に供給されている状態においてプローブ３ａ，３ｂ間（測定対象）を流れる電流Ｉを電圧変換して、電圧信号を生成する。Ａ／Ｄ変換回路２２は、電流検出回路２１によって生成される電圧信号をアナログ−デジタル変換して電圧データを出力する。測定回路２３は、Ａ／Ｄ変換回路２２から出力される電圧データ、および電圧出力部１１によって生成される測定用電圧Ｖｍの電圧値に基づいて測定対象の抵抗を測定する（以下、測定された抵抗値を「測定値Ｒｍ」ともいう）。
【００１８】
操作部１３は、図２に示すように、本体部２の正面パネルに配設されたファンクションスイッチ３１、リリーススイッチ３２およびメジャースイッチ３３等の各種のスイッチを備えて構成され、これらが操作されたときに操作信号を出力する。ファンクションスイッチ３１は、第１スイッチに相当し、複数の測定レンジのうちの１つを切り替えて選択したり、抵抗測定装置１の電源のオン／オフを切り替えたりする切り替え操作が可能なロータリースイッチで構成されている。
【００１９】
リリーススイッチ３２は、第２スイッチに相当し、各測定レンジのうちの、高圧の測定用電圧Ｖｍ（例えば、５００Ｖおよび１０００Ｖの測定用電圧Ｖｍ）を用いて（測定対象に供給して）絶縁抵抗などの高い抵抗を測定する測定レンジ（第２測定レンジに相当し、以下「高抵抗測定レンジ」ともいう）を選択する際に用いる（具体的には、高抵抗測定レンジの選択を確認するための）スイッチであって、一例として押しボタン形のスイッチで構成されている。また、リリーススイッチ３２は、内部に光源（一例として、ＬＥＤ光源）を備えて構成され、制御部１６の制御に従って光源が発光する。メジャースイッチ３３は、測定を指示するためのスイッチであって、このメジャースイッチ３３が操作（オン操作）されたときに、制御部１６が電圧出力部１１に対する出力処理や測定部１２に対する測定処理の実行を指示する。
【００２０】
記憶部１４は、制御部１６の制御に従い、測定部１２によって測定された測定値Ｒｍを記憶する。表示部１５は、図２に示すように、一例として、本体部２の正面パネルに配設された液晶ディスプレイで構成され、制御部１６の制御に従って測定値Ｒｍを表示する（図３参照）。また、表示部１５は、制御部１６の制御に従って後述する報知画像Ｇｉを表示する（図４参照）。
【００２１】
制御部１６は、操作部１３から出力される操作信号に従って各種の処理を実行すると共に、抵抗測定装置１を構成する各部を制御する。具体的には、制御部１６は、処理部として機能して、各測定レンジのうちの、低圧（例えば、１０Ｖ、５０Ｖ、１２５Ｖおよび２５０Ｖ）の測定用電圧Ｖｍを用いて（測定対象に供給して）比較的低い抵抗を測定する測定レンジ（第１測定レンジに相当し、以下「低抵抗測定レンジ」ともいう）がファンクションスイッチ３１に対する切り替え操作によって選択されたときには、上記した低圧の測定用電圧Ｖｍをメジャースイッチ３３に対するオン操作に応じて出力可能な状態（第１状態に相当し、以下「低電圧出力待機状態」ともいう）に電圧出力部１１を移行させる。
【００２２】
また、制御部１６は、ファンクションスイッチ３１に対する切り替え操作によって高抵抗測定レンジが選択されたときには、その状態において操作部１３のリリーススイッチ３２が操作されたときにのみ上記した高圧の測定用電圧Ｖｍをメジャースイッチ３３に対するオン操作に応じて出力可能な状態（第２状態に相当し、以下「高電圧出力待機状態」ともいう）に電圧出力部１１を移行させる。つまり、制御部１６は、ファンクションスイッチ３１に対する切り替え操作によって高抵抗測定レンジが選択されたとしても、操作部１３のリリーススイッチ３２が操作されない限り、電圧出力部１１を高電圧出力待機状態には移行させない。
【００２３】
また、制御部１６は、電圧出力部１１を高電圧出力待機状態に移行させている状態において、メジャースイッチ３３に対するオン操作（抵抗測定装置１に対する予め決められた操作の一例）がされない状態が予め決められた時間（例えば、５分間）継続したときに、この高電圧出力待機状態を解除する。
【００２４】
また、制御部１６は、上記した低電圧出力待機状態および高電圧出力待機状態において操作部１３のメジャースイッチ３３がオン操作されたときに、電圧出力部１１を制御して、選択された測定レンジに対応する電圧値の測定用電圧Ｖｍを出力する出力処理を実行させると共に、測定部１２を制御して測定処理を実行させる。
【００２５】
さらに、制御部１６は、ファンクションスイッチ３１に対する切り替え操作によって高抵抗測定レンジが選択されたときには、表示処理を実行して、リリーススイッチ３２を操作すべき旨を示す報知画像Ｇｉ（図４参照）を表示部１５に表示させる。また、制御部１６は、表示処理を実行する際に、リリーススイッチ３２に配設されている光源を発光させる。また、制御部１６は、測定部１２によって測定された測定値Ｒｍを記憶部１４に記憶させると共に、測定値Ｒｍを表示部１５に表示させる。
【００２６】
各プローブ３は、本体部２の電圧出力部１１から出力される測定用電圧Ｖｍを測定対象に供給すると共に、測定用電圧Ｖｍの供給によって測定対象に流れる電流Ｉを本体部２の測定部１２に入力させる。この場合、この抵抗測定装置１では、図２に示すように、各プローブ３の一方（この例では、プローブ３ａ）が、ペン形に構成され、各プローブ３の他方（この例では、プローブ３ｂ）が、測定対象を挟んで接続させるクリップ形に構成されている。
【００２７】
次に、抵抗測定装置１を用いて測定対象の抵抗を測定する方法、およびその際の抵抗測定装置１の動作について、図面を参照して説明する。なお、初期状態では、電源がオフ状態となっているものとする。
【００２８】
この抵抗測定装置１を用いて、低抵抗測定レンジで測定対象の抵抗を測定するときには、操作部１３のファンクションスイッチ３１を操作して、「ＯＦＦ」の位置（図２参照）から、複数の低抵抗測定レンジのうちの１つ（例えば、１０Ｖの測定用電圧Ｖｍを用いて抵抗を測定する測定レンジ）を示す位置（同図に示す「１０Ｖ」の位置）に回動させて、その低抵抗測定レンジを選択する。この際に、抵抗測定装置１を構成する各部に電源が供給され、制御部１６が各部に対する制御を開始する。
【００２９】
また、制御部１６は、ファンクションスイッチ３１に対する切り替え操作によって選択された低抵抗測定レンジに対応する電圧値（この例では、１０Ｖ）の測定用電圧Ｖｍを出力可能な低電圧出力待機状態に電圧出力部１１を移行させる。
【００３０】
次いで、測定対象における１つの被接触部位をクリップ形のプローブ３ｂで挟み、測定対象における他の１つの被接触部位にプローブ３ａの先端部を接触させる。続いて、操作部１３のメジャースイッチ３３をオン操作する。次いで、制御部１６は、メジャースイッチ３３に対するオン操作（操作部１３から出力された操作信号）に応じて電圧出力部１１を制御して出力処理を実行させ、電圧値が１０Ｖの測定用電圧Ｖｍを出力させる。この際に、電圧出力部１１から出力された測定用電圧Ｖｍがプローブ３ａ，３ｂを介して測定対象に供給される。
【００３１】
続いて、制御部１６は、測定部１２を制御して測定処理を実行させる。この測定処理では、測定部１２の電流検出回路２１が、測定用電圧Ｖｍの供給に伴ってプローブ３ａ，３ｂ間を流れる電流Ｉを電圧変換して電圧信号を生成する。
【００３２】
次いで、測定部１２のＡ／Ｄ変換回路２２が、電流検出回路２１によって生成された電圧信号をアナログ−デジタル変換して電圧データを出力する。続いて、測定部１２の測定回路２３が、Ａ／Ｄ変換回路２２から出力された電圧データ、および電圧出力部１１によって生成される測定用電圧Ｖｍの電圧値に基づいて測定対象の（プローブ３ａ，３ｂが接触している被接触部位間の）抵抗を測定する。
【００３３】
次いで、制御部１６は、測定部１２によって測定された抵抗の測定値Ｒｍを記憶部１４に記憶させると共に、表示部１５を制御して、図３に示すように、測定値Ｒｍを表示させる。続いて、測定を終了する際には、メジャースイッチ３３をオフ操作する。この際に、制御部１６は、電圧出力部１１を制御して測定用電圧Ｖｍの出力を停止させると共に、測定部１２を制御して測定処理を停止させる。以上により、低抵抗測定レンジでの測定対象の抵抗測定が終了する。
【００３４】
次いで、抵抗測定装置１を用いて、高抵抗測定レンジで測定対象の抵抗（絶縁抵抗）を測定するときには、操作部１３のファンクションスイッチ３１を操作して、「１０Ｖ」の位置（図２参照）から、２つの高抵抗測定レンジのうちの１つ（例えば、５００Ｖの測定用電圧Ｖｍを用いて抵抗を測定する測定レンジ）を示す位置（同図に示す「５００Ｖ」の位置）に回動させて、その高抵抗測定レンジを選択する。
【００３５】
続いて、制御部１６は、操作部１３から出力される操作信号に基づいてファンクションスイッチ３１に対する切り替え操作によって高抵抗測定レンジが選択されたと判別して、表示処理を実行する。この表示処理では、制御部１６は、表示部１５を制御して、図４に示すように、操作部１３のリリーススイッチ３２を操作すべき旨を示す報知画像Ｇｉ（一例として、「リリーススイッチを押してください」との文字で構成さたれ画像）を表示させる。この場合、報知画像Ｇｉの表示位置は、同図に示すように、表示部１５の表示領域における中央部でもよいし、リリーススイッチ３２に近い位置（この例では、表示部１５の表示領域における右下の位置）でもよい。また、報知画像Ｇｉを目立たせるために報知画像Ｇｉを点滅させる（表示および非表示を一定周期で繰り返す）表示形態を採用することもできる。
【００３６】
また、制御部１６は、表示処理を実行する際に、リリーススイッチ３２に配設されている光源を発光させる。この場合、光源を連続的に発光（連続点灯）させてもよいし、光源を点滅させてもよい。
【００３７】
ここで、この抵抗測定装置１では、ファンクションスイッチ３１に対する切り替え操作によって高抵抗測定レンジが選択されたとしても、その状態において操作部１３のリリーススイッチ３２が操作されない限り、制御部１６は、電圧出力部１１を高電圧出力待機状態には移行させない。このため、この抵抗測定装置１では、例えば、導通検査を行うために低抵抗測定レンジの選択を意図してファンクションスイッチ３１に対する操作を行ったにも拘わらず、その意図に反して高抵抗測定レンジを選択した状態でメジャースイッチ３３をオン操作したとしても、高圧の測定用電圧Ｖｍが出力されない結果、高圧の測定用電圧Ｖｍの供給によって測定対象が故障する事態を確実に防止することが可能となっている。
【００３８】
一方、リリーススイッチ３２を操作すべきことを報知する手段を備えていない構成では、リリーススイッチ３２を操作しなければ高電圧出力待機状態に移行しないことを使用者が認識していないときには、使用者はメジャースイッチ３３をオン操作しても抵抗測定が行われない理由が理解できず、その結果、測定作業をスムーズに行うことが困難となる。これに対して、この抵抗測定装置１では、ファンクションスイッチ３１に対する切り替え操作によって高抵抗測定レンジが選択されたときに、制御部１６が上記した表示処理を実行することで、報知画像Ｇｉが表示部１５に表示される。
【００３９】
このため、この抵抗測定装置１では、リリーススイッチ３２を操作しなければ高電圧出力待機状態には移行しないことを認識していない使用者に対してこの旨（高抵抗測定レンジで抵抗を測定するために必要な操作）を確実に認識させることができる結果、測定作業をスムーズに行わせることが可能となっている。また、この抵抗測定装置１では、制御部１６が表示処理を実行する際に、リリーススイッチ３２に配設されている光源を発光させるため、リリーススイッチ３２がどれであるか（どのスイッチを操作すべきか）を使用者に対して確実に認識させることが可能となっている。
【００４０】
次いで、高抵抗測定レンジが選択されている状態で、リリーススイッチ３２を操作したときには、制御部１６は、選択された高抵抗測定レンジに対応する電圧値（この例では、５００Ｖ）の測定用電圧Ｖｍを出力可能な高電圧出力待機状態に電圧出力部１１を移行させる。また、制御部１６は、電圧出力部１１を高電圧出力待機状態に移行させたときには、表示処理を終了して報知画像Ｇｉの表示を停止すると共に、リリーススイッチ３２に配設されている光源の発光を停止させる。
【００４１】
続いて、上記した低抵抗測定レンジで抵抗を測定する際の手順と同様にして、測定対象の各被接触部位にプローブ３ａ，３ｂをそれぞれ接触させた後に、操作部１３のメジャースイッチ３３をオン操作する。次いで、制御部１６は、メジャースイッチ３３に対するオン操作に応じて電圧出力部１１を制御して出力処理を実行させ、電圧値が５００Ｖの測定用電圧Ｖｍを出力させる。この際に、電圧出力部１１から出力された測定用電圧Ｖｍがプローブ３ａ，３ｂを介して測定対象に供給される。
【００４２】
続いて、制御部１６は、測定部１２を制御して上記した測定処理を実行させる。次いで、制御部１６は、測定部１２によって測定された抵抗の測定値Ｒｍを記憶部１４に記憶させると共に、表示部１５を制御して、測定値Ｒｍを表示させる。続いて、測定を終了する際には、メジャースイッチ３３をオフ操作する。この際に、制御部１６は、電圧出力部１１を制御して測定用電圧Ｖｍの出力を停止させると共に、測定部１２を制御して測定処理を停止させる。以上により、高抵抗測定レンジでの測定対象の抵抗測定が終了する。
【００４３】
一方、上記した高電圧出力待機状態において、操作部１３のメジャースイッチ３３に対するオン操作（予め決められた操作）が例えば５分間（予め決められた時間）以上操作されないときには、制御部１６は、高電圧出力待機状態を解除する。また、制御部１６は、高電圧出力待機状態を解除したときには、上記した表示処理を実行して報知画像Ｇｉを表示部１５に表示させると共に、リリーススイッチ３２に配設されている光源を発光させる。
【００４４】
ここで、高抵抗測定レンジを選択してリリーススイッチ３２を操作した後にしばらく時間が経過したときには、使用者がそのこと（電圧出力部１１が高電圧出力待機状態に移行していること）を忘れて、低抵抗測定レンジを選択したとの誤認識をするおそれがある。この場合、時間の経過に拘わらず高電圧出力待機状態が継続する構成では、このように使用者が誤認識をしているときには、低圧の測定用電圧Ｖｍが供給されるとの使用者の意図（誤認識）に反して高圧の測定用電圧Ｖｍが測定対象に供給されることとなる。これに対して、この抵抗測定装置１では、上記したように、高電圧出力待機状態において操作部１３のメジャースイッチ３３に対するオン操作が５分間以上操作されないときには、制御部１６によって高電圧出力待機状態が解除される。このため、この抵抗測定装置１では、リリーススイッチ３２を操作した後にしばらく時間が経過したときの使用者の誤認識に起因して、高圧の測定用電圧Ｖｍが測定対象に供給される事態を確実に防止することが可能となっている。
【００４５】
このように、この抵抗測定装置１では、ファンクションスイッチ３１に対する切り替え操作によって高抵抗測定レンジが選択されたときに、リリーススイッチ３２を操作すべき旨を表示部１５に表示させる表示処理を制御部１６が実行する。このため、この抵抗測定装置１によれば、リリーススイッチ３２を操作しなければ高電圧出力待機状態（第２状態）には移行しないこと（高抵抗測定レンジで抵抗を測定するために必要な操作）を認識していない使用者に対して、そのこと（必要な操作）を確実に認識させることができる結果、測定作業をスムーズに行わせることができる。
【００４６】
また、この抵抗測定装置１では、制御部１６が表示処理を実行する際にリリーススイッチ３２に配設されている光源を発光させる。このため、この抵抗測定装置１によれば、リリーススイッチ３２がどれであるか（どのスイッチを操作すべきか）を使用者に対して確実に認識させることができる結果、測定作業をよりスムーズに行わせることができる。
【００４７】
また、この抵抗測定装置１では、電圧出力部１１を高電圧出力待機状態（第２状態）に移行させている状態において抵抗測定装置１に対する予め決められた操作（メジャースイッチ３３に対するオン操作）がされない状態が予め決められた時間（この例では５分間）継続したときには、制御部１６が高電圧出力待機状態を解除する。このため、この抵抗測定装置１によれば、例えば、高抵抗測定レンジを選択してリリーススイッチ３２を操作した後にしばらく時間が経過したときに、電圧出力部１１が高電圧出力待機状態に移行していることを使用者が忘れて、低抵抗測定レンジを選択したとの誤認識をしたとしても、そのような誤認識に起因して、高圧の測定用電圧Ｖｍが測定対象に供給される事態を確実に防止することができる。
【００４８】
なお、測定装置の構成は、上記した構成に限定されない。例えば、５００Ｖおよび１０００Ｖの測定用電圧Ｖｍを用いて抵抗を測定する測定レンジを高抵抗測定レンジ（表示処理を実行する測定レンジ）として規定した例について上記したが、これらは一例であって、高抵抗測定レンジや低抵抗測定レンジの種類は任意に規定することができる。また、表示処理において表示させる上記の報知画像Ｇｉの内容も一例であって、第２スイッチとしてのリリーススイッチ３２を操作すべき旨を表示する任意の内容に変更することができる。
【００４９】
また、測定値Ｒｍを表示する表示部１５に報知画像Ｇｉを表示させる例について上記したが、リリーススイッチ３２（第２スイッチ）を操作すべき旨を表示する専用の表示部を表示部１５とは別に設ける構成を採用することもできる。また、アナログ式のメータで測定値Ｒｍを表示し、リリーススイッチ３２を操作すべき旨（報知画像Ｇｉ）だけを表示部に表示させる構成を採用することもできる。
【００５０】
また、高電圧出力待機状態（第２状態）において、メジャースイッチ３３に対するオン操作が予め決められた時間としての５分間以上されないときに、高電圧出力待機状態を解除する例について上記したが、この予め決められた時間は５分間に限定されず任意に規定することができる。また、高電圧出力待機状態において、メジャースイッチ３３以外の他のスイッチのいずれかに対する操作が予め決められた時間以上されないときに、高電圧出力待機状態を解除する構成を採用することもできる。
【００５１】
また、抵抗を測定する抵抗測定装置１に適用した例について上記したが、電圧、電流および電力などの他の物理量を測定する測定装置や、これらの物理量および抵抗の２種類以上を測定する測定装置に適用することもできる。
【符号の説明】
【００５２】
１  絶縁抵抗測定装置
１１  電圧出力部
１２  測定部
１５  表示部
１６  制御部
３１  ファンクションスイッチ
３２  リリーススイッチ
３３  メジャースイッチ
Ｒｍ  測定値
Ｖｍ  測定用電圧
【図１】
0005897395.tif 000002
【図２】
0005897395.tif 000003
【図３】
0005897395.tif 000004
【図４】
0005897395.tif 000005